(57)【特許請求の範囲】
【請求項１】
交通機関の各駅にそれぞれ設置され、価値の増減が可能な非接触式のプリペイド媒体に対し非接触で通信を行なうことにより所定の処理を行なう駅務機器と、
プリペイド媒体の固有の識別情報と当該プリペイド媒体を用いる交通機関の優先利用エリアをあらかじめ登録する登録手段と、
この登録手段により登録されたプリペイド媒体の識別情報を、前記登録手段により登録された交通機関の優先利用エリア内の全ての駅にそれぞれ設置された駅務機器に対し配信する配信手段と、
前記駅務機器において、前記配信手段により配信されたプリペイド媒体の識別情報を記憶する記憶手段と、
前記駅務機器において、プリペイド媒体を複数検知した場合、当該複数のプリペイド媒体の識別情報が前記記憶手段に記憶されているか否かを判定する判定手段と、
この判定手段による判定の結果、当該複数のプリペイド媒体のうちいずれか１つのプリペイド媒体の識別情報が前記記憶手段に記憶されている場合、当該プリペイド媒体に対し優先的に処理を行なう処理手段と、
を具備したことを特徴とするプリペイド媒体処理システム。
【請求項２】
前記判定手段による判定の結果、当該複数のプリペイド媒体のうち２つ以上のプリペイド媒体の識別情報が前記記憶手段に記憶されている場合、エラー処理を行なうエラー処理手段をさらに具備したことを特徴とする請求項１記載のプリペイド媒体処理システム。
【請求項３】
前記駅務機器は、利用者により提示されたプリペイド媒体に対し非接触で通信を行なうことにより当該プリペイド媒体内の価値の減算処理を行なう非接触自動改札装置、および、駅係員による操作によりプリペイド媒体に対し乗継処理や清算処理などを行なう窓口処理装置のうち少なくともいずれか一方であることを特徴とする請求項１記載のプリペイド媒体処理システム。
【請求項４】
前記登録手段は、前記交通機関を利用する利用者が所持するパーソナルコンピュータ、携帯電話機および前記交通機関の各駅に設置された情報端末装置のうち少なくともいずれか１つであることを特徴とする請求項１記載のプリペイド媒体処理システム。
【請求項５】
前記プリペイド媒体は、非接触ＩＣカードあるいは携帯端末装置に搭載された非接触ＩＣカード機能により構成されていることを特徴とする請求項１記載のプリペイド媒体処理システム。
【請求項６】
交通機関の各駅にそれぞれ設置され、価値の増減が可能な非接触式のプリペイド媒体に対し非接触で通信を行なうことにより所定の処理を行なう駅務機器を有し、
前記交通機関の利用前に、プリペイド媒体の固有の識別情報と当該プリペイド媒体を用いる交通機関の優先利用エリアをあらかじめ登録する登録工程と、
この登録工程により登録されたプリペイド媒体の識別情報を、前記登録工程により登録された交通機関の優先利用エリア内の全ての駅にそれぞれ設置された駅務機器に対し配信する配信工程と、
前記駅務機器において、前記配信工程により配信されたプリペイド媒体の識別情報を記憶手段に記憶する記憶工程と、
前記駅務機器において、プリペイド媒体を複数検知した場合、当該複数のプリペイド媒体の識別情報が前記記憶手段に記憶されているか否かを判定する判定工程と、
この判定工程による判定の結果、当該複数のプリペイド媒体のうちいずれか１つのプリペイド媒体の識別情報が前記記憶手段に記憶されている場合、当該プリペイド媒体に対し優先的に処理を行なう処理工程と、
を具備したことを特徴とするプリペイド媒体処理方法。
【請求項７】
前記駅務機器は、利用者により提示されたプリペイド媒体に対し非接触で通信を行なうことにより当該プリペイド媒体内の価値の減算処理を行なう非接触自動改札装置、および、駅係員による操作によりプリペイド媒体に対し乗継処理や清算処理などを行なう窓口処理装置のうち少なくともいずれか一方であることを特徴とする請求項６記載のプリペイド媒体処理方法。
【発明の詳細な説明】
【技術分野】
【０００１】
本発明は、たとえば、鉄道などの交通機関の各駅において、価値の増減が可能な非接触式のプリペイドカード（プリペイド媒体）に対し価値の減算処理などを行なうプリペイド媒体処理システムおよびプリペイド媒体処理方法に関する。
【背景技術】
【０００２】
最近、たとえば、鉄道などの交通機関における交通システムにおいては、改札処理の高速化、および、サービスの向上を実現するため、磁気式の乗車券媒体に代わって、非接触（無線式）ＩＣカードにより構成される非接触式のプリペイドカード（プリペイド媒体）が利用されている。
【０００３】
この種のプリペイドカードは、内蔵するＩＣチップ（メモリ）に増減が可能な価値（金額情報）が記録されていて、当該プリペイドカードの利用時に駅務機器にて価値の減算処理などが行なわれるもので、利用者側および事業者側に共に大きなメリットを生じるものとなっている。
【０００４】
ところが、非接触式自動改札装置などの駅務機器において、このようなプリペイドカードを処理する際、複数枚のプリペイドカードを同時に検知すると、当該駅務機器は処理不能となる。プリペイドカードを処理する窓口処理装置など他の駅務機器においても同様である。
【０００５】
複数枚のプリペイドカードを同時に検知する具体例としては、たとえば、Ａ社のプリペイドカードとＢ社のプリペイドカードの２つのプリペイドカードを所持している利用者が、１つの収納ケース内に２つのプリペイドカードを収納した状態で非接触式自動改札装置に翳した場合などが考えられる。
【特許文献１】特開２００４−７８８２７号公報
【特許文献２】特開２００４−２８０５２２号公報
【発明の開示】
【発明が解決しようとする課題】
【０００６】
上記したように、非接触式自動改札装置や窓口処理装置などの駅務機器において、複数枚のプリペイドカードを同時に検知した場合、当該駅務機器は処理不能となる。このように、複数枚検知して処理不能となった場合、プリペイドカード１枚として再度処理をし直す必要がある。
【０００７】
そこで、本発明は、プリペイド媒体が複数検知された場合でも、優先的に処理するプリペイド媒体を特定でき、自動で駅務機器処理が可能となるプリペイド媒体処理システムおよびプリペイド媒体処理方法を提供することを目的とする。
【課題を解決するための手段】
【０００８】
本発明のプリペイド媒体処理システムは、交通機関の各駅にそれぞれ設置され、価値の増減が可能な非接触式のプリペイド媒体に対し非接触で通信を行なうことにより所定の処理を行なう駅務機器と、プリペイド媒体の固有の識別情報と当該プリペイド媒体を用いる交通機関の優先利用エリアをあらかじめ登録する登録手段と、この登録手段により登録されたプリペイド媒体の識別情報を、前記登録手段により登録された交通機関の優先利用エリア内の全ての駅にそれぞれ設置された駅務機器に対し配信する配信手段と、前記駅務機器において、前記配信手段により配信されたプリペイド媒体の識別情報を記憶する記憶手段と、前記駅務機器において、プリペイド媒体を複数検知した場合、当該複数のプリペイド媒体の識別情報が前記記憶手段に記憶されているか否かを判定する判定手段と、この判定手段による判定の結果、当該複数のプリペイド媒体のうちいずれか１つのプリペイド媒体の識別情報が前記記憶手段に記憶されている場合、当該プリペイド媒体に対し優先的に処理を行なう処理手段とを具備している。
【０００９】
また、本発明のプリペイド媒体処理方法は、交通機関の各駅にそれぞれ設置され、価値の増減が可能な非接触式のプリペイド媒体に対し非接触で通信を行なうことにより所定の処理を行なう駅務機器を有し、前記交通機関の利用前に、プリペイド媒体の固有の識別情報と当該プリペイド媒体を用いる交通機関の優先利用エリアをあらかじめ登録する登録工程と、この登録工程により登録されたプリペイド媒体の識別情報を、前記登録工程により登録された交通機関の優先利用エリア内の全ての駅にそれぞれ設置された駅務機器に対し配信する配信工程と、前記駅務機器において、前記配信工程により配信されたプリペイド媒体の識別情報を記憶手段に記憶する記憶工程と、前記駅務機器において、プリペイド媒体を複数検知した場合、当該複数のプリペイド媒体の識別情報が前記記憶手段に記憶されているか否かを判定する判定工程と、この判定工程による判定の結果、当該複数のプリペイド媒体のうちいずれか１つのプリペイド媒体の識別情報が前記記憶手段に記憶されている場合、当該プリペイド媒体に対し優先的に処理を行なう処理工程とを具備している。
【発明の効果】
【００１０】
本発明によれば、事前にプリペイド媒体の識別情報と当該プリペイド媒体を用いる交通機関の優先利用エリアを登録するとともに、この登録したプリペイド媒体の識別情報を上記優先利用エリア内の各駅に設置された駅務機器に配信し、駅務機器においてプリペイド媒体を複数検知した場合、配信された識別情報のプリペイド媒体を優先的に処理することで、プリペイド媒体が複数検知された場合でも、優先的に処理するプリペイド媒体を特定でき、自動で駅務機器処理が可能となるプリペイド媒体処理システムおよびプリペイド媒体処理方法を提供できる。
【発明を実施するための最良の形態】
【００１１】
以下、本発明の実施の形態について図面を参照して説明する。  
図１は、本実施の形態に係るプリペイド媒体処理システムの構成を概略的に示すものである。図１において、たとえば、鉄道などの交通機関における各駅（たとえば、Ａ駅、Ｂ駅、…）には、情報端末装置１１、プリペイド媒体を処理する駅務機器としての非接触式自動改札装置１２および窓口処理装置１３などがそれぞれ設置されている。
【００１２】
情報端末装置１１は、利用者（旅客）の操作により、当該利用者に対し駅やその周辺の各種情報を案内するもので、ＩＣチップおよびアンテナを内蔵した非接触ＩＣカードで構成された非接触式のプリペイドカード（プリペイド媒体）Ｐの固有の識別情報と当該プリペイドカードＰを用いる交通機関の優先利用エリアを登録する機能をも有しており、たとえば、駅構内の広場などに設置されているものとする。
【００１３】
非接触式自動改札装置１２は、非接触ＩＣカードで構成されたプリペイドカードＰに対し非接触（無線通信）で改札処理、乗継処理、清算処理などを行なうもので、駅の改札口に設置されている。また、非接触式自動改札装置１２は、上位装置１５から配信される登録されたプリペイドカードＰの識別情報および優先利用エリアを保持するメモリ１２ａを有している。
【００１４】
窓口処理装置１３は、駅係員による操作により、非接触ＩＣカードで構成されたプリペイドカードＰやその他の乗車券などに対し乗継処理や清算処理などを行なうもので、たとえば、改札口に隣接した駅務室内に設置されている。また、窓口処理装置１３は、上位装置１５から配信される登録されたプリペイドカードＰの識別情報および優先利用エリアを保持するメモリ１３ａを有している。
【００１５】
情報端末装置１１、非接触式自動改札装置１２および窓口処理装置１３は、それぞれインターネット回線などの通信回線１４を介して駅統合サーバなどの上位装置１５に接続されているとともに、各利用者の自宅に設置されたパーソナルコンピュータ（以後、単にパソコンと略称する）１６に接続されている。
【００１６】
上位装置１５は、たとえば、発行済のプリペイドカードＰの発行履歴や非接触式自動改札装置１２や窓口処理装置１３の処理データなどを管理しており、非接触式自動改札装置１２や窓口処理装置１３からの照会要求などに応じて管理データなどを返信するように構成されている。
【００１７】
また、上位装置１５は、たとえば、パソコン１６を介して登録されるプリペイドカードＰの固有の識別情報と当該プリペイドカードＰを用いる交通機関の優先利用エリアをメモリ１５ａに保持するとともに、この登録されたプリペイドカードＰの識別情報を上記登録された優先利用エリア内の各駅に設置された駅務機器（非接触式自動改札装置１２、窓口処理装置１３）にそれぞれ配信する機能をも有している。
【００１８】
パソコン１６は、利用者が所持する非接触ＩＣカードで構成されたプリペイドカードＰの固有の識別情報と当該プリペイドカードを用いる交通機関の優先利用エリアを登録する機能をも有している。
【００１９】
次に、上記のように構成されたプリペイド媒体処理システムの処理動作について、図２に示す動作説明図および図３に示す動作シーケンスを参照して説明する。
【００２０】
まず、利用者（旅客）は、鉄道などの交通機関を利用する前に、たとえば、所有するパソコン１６を用いて、利用者が所持する非接触ＩＣカードで構成されたプリペイドカードＰの固有の識別情報と当該プリペイドカードＰを用いる交通機関の優先利用エリアを登録する。
【００２１】
図２を用いて具体的に説明すると、利用者は、たとえば、２種類のプリペイドカードＰａ，Ｐｂを所持していて、一方のプリペイドカードＰａには、優先利用エリアＥａとして交通機関Ａ社の経路（区間）［Ａ駅−Ｂ駅−Ｃ駅−Ｄ駅］を登録し、他方のプリペイドカードＰｂには、優先利用エリアＥｂとして交通機関Ｂ社の経路（区間）［Ｅ駅−Ｆ駅−Ｇ駅］を登録するものとする。
【００２２】
利用者は、パソコン１６を用いて、プリペイドカードＰａの識別情報としてのＩＤ番号ＩＤａと、上記優先利用エリアＥａ（Ａ駅−Ｂ駅−Ｃ駅−Ｄ駅の経路）を対応させて登録するとともに、プリペイドカードＰｂの識別情報としてのＩＤ番号ＩＤｂと、上記優先利用エリアＥｂ（Ｅ駅−Ｆ駅−Ｇ駅の経路）を対応させて登録する。
【００２３】
なお、登録する優先利用エリアは、経路（区間）に限らず、たとえば、路線名や交通機関の会社名などであってもよい。
【００２４】
こうして登録されたＩＤ番号ＩＤａと優先利用エリアＥａ、および、ＩＤ番号ＩＤｂと優先利用エリアＥｂは、それぞれ通信回線１４を介して上位装置１５へ送られる。上位装置１５は、パソコン１６から送られてきたＩＤ番号ＩＤａと優先利用エリアＥａ、および、ＩＤ番号ＩＤｂと優先利用エリアＥｂをメモリ１５ａにそれぞれ保持するとともに、この登録されたプリペイドカードのＩＤ番号ＩＤａ，ＩＤｂを、上記登録された優先利用エリアＥａ，Ｅｂ内の各駅に設置された駅務機器にそれぞれ配信する。
【００２５】
図２の例では、ＩＤ番号ＩＤａは、優先利用エリアＥａ内のＡ駅、Ｂ駅、Ｃ駅、Ｄ駅に設置された非接触式自動改札装置１２および窓口処理装置１３にそれぞれ送られ、ＩＤ番号ＩＤｂは、優先利用エリアＥｂ内のＥ駅、Ｆ駅、Ｇ駅に設置された非接触式自動改札装置１２および窓口処理装置１３にそれぞれ送られる。各駅に設置された非接触式自動改札装置１２は送られてきたＩＤ番号をメモリ１２ａに保持し、窓口処理装置１３は送られてきたＩＤ番号をメモリ１３ａに保持する。
【００２６】
なお、１枚のプリペイドカードに対し複数の優先利用エリアを登録することも可能である。また、上記したようにしてプリペイドカードのＩＤ番号および優先利用エリアを登録する際、優先利用エリアが複数のプリペイドカードで重なる場合は、その旨のアラーム表示を行なうようにしてもよい。
【００２７】
また、プリペイドカードのＩＤ番号と優先利用エリアの登録は、パソコン１６ではなく、駅に設置された情報端末装置１１によって行なってもよい。また、たとえば、利用者が所持する携帯電話機などの携帯端末装置にＩＤ番号と優先利用エリアを登録する機能を付加することで、携帯端末装置を用いて行なってもよい。
【００２８】
こうしてプリペイドカードＰａ，ＰｂのＩＤ番号および優先利用エリアを登録した後、たとえば、利用者が交通機関Ａ社の電車に乗車する目的で、１つの収納ケース内に２枚のプリペイドカードＰａ，Ｐｂを重ねて収納した状態で、たとえば、Ａ駅に設置された非接触式自動改札装置１２に翳したとすると、当該非接触式自動改札装置１２は図４に示すフローチャートの流れに沿った処理が行なわれる。
【００２９】
すなわち、プリペイドカードＰが翳されると、当該プリペイドカードＰから、そのＩＣチップに記録されたデータを非接触で読取ることで（ステップＳ１）、非接触式自動改札装置１２に翳されたプリペイドカードＰは複数枚か否かを判定する（ステップＳ２）。この判定の結果、翳されたプリペイドカードＰが１枚である場合、通常の処理が行なわれる（ステップＳ３）。
【００３０】
ステップＳ２における判定の結果、非接触式自動改札装置１２に翳されたプリペイドカードＰが複数枚（上記例では２枚のプリペイドカードＰａ，Ｐｂ）である場合、当該プリペイドカードＰａ，Ｐｂから読取ったＩＤ番号ＩＤａ，ＩＤｂがメモリ１２ａに登録されているか否かを判定し（ステップＳ４）、登録されていない場合、所定のエラー処理を行なう（ステップＳ５）。
【００３１】
ステップＳ４における判定の結果、ＩＤ番号がメモリ１２ａに登録されている場合、すなわち、この例の場合、Ａ駅は優先利用エリアＥａであり、Ａ駅の非接触式自動改札装置１２にはプリペイドカードＰａのＩＤ番号ＩＤａが登録されているので、プリペイドカードＰａに対し優先的に処理を行なう（ステップＳ６）。
【００３２】
なお、ステップＳ４における判定の結果、ＩＤ番号が登録されている場合、駅係員に対し「優先利用エリア通過」である旨をメッセージ表示や音声等で案内するようにしてもよい。
【００３３】
また、たとえば、利用者が交通機関Ｂ社の電車に乗車する目的で、１つの収納ケース内に２枚のプリペイドカードＰａ，Ｐｂを重ねて収納した状態で、たとえば、Ｇ駅に設置された非接触式自動改札装置１２に翳した場合も、上記同様、図４に示すフローチャートの流れに沿った処理が行なわれる。
【００３４】
すなわち、この例の場合、Ｇ駅は優先利用エリアＥｂであり、Ｇ駅の非接触式自動改札装置１２にはプリペイドカードＰｂのＩＤ番号ＩＤｂが登録されているので、プリペイドカードＰｂに対し優先的に処理が行なわれる。
【００３５】
さらに、上記説明では、利用者が非接触式自動改札装置１２を利用した場合の動作について説明したが、窓口処理装置１３において、係員が２枚のプリペイドカードを重ねて読取部に翳した場合も、上記同様、図４に示すフローチャートの流れに沿った処理が行なわれる。
【００３６】
以上説明したように、上記実施の形態によれば、事前にプリペイドカードのＩＤ番号と当該プリペイドカードを用いる交通機関の優先利用エリアを登録するとともに、この登録したプリペイドカードのＩＤ番号を上記登録された優先利用エリア内の各駅に設置された非接触式自動改札装置や窓口処理装置などの駅務機器に配信し、駅務機器においてプリペイドカードを複数検知した場合、配信されたＩＤ番号のプリペイドカードを優先的に処理することで、プリペイドカードが複数検知された場合でも、優先的に処理するプリペイドカードを特定でき、自動で駅務機器処理が可能となる。
【００３７】
なお、前記実施の形態では、プリペイド媒体としてプリペイドカードを用いた場合について説明したが、本発明はこれに限定されるものではなく、たとえば、携帯電話機などの携帯端末装置に搭載されたプリペイドカード機能であってもよい。さらに、プリペイドカードとしての非接触ＩＣカードは、たとえば、乗車券（定期券等）とプリペイドカードの両機能を有する複合カードであってもよい。
【図面の簡単な説明】
【００３８】
【図１】本発明の実施の形態に係るプリペイド媒体処理システムの構成を概略的に示すブロック図。
【図２】各機器の配置構成を示す模式図。
【図３】動作の流れを説明するシーケンス。
【図４】非接触式自動改札装置においてプリペイドカードを複数枚検知した際の処理の流れを説明するフローチャート。
【符号の説明】
【００３９】
１１…情報端末装置、１２…非接触式自動改札装置（駅務機器）、１２ａ…メモリ（記憶手段）、１３…窓口処理装置（駅務機器）、１３ａ…メモリ（記憶手段）、１４…通信回線、１５…上位装置、１５ａ…メモリ（記憶手段）、１６…パーソナルコンピュータ、Ｐ，Ｐａ，Ｐｂ…プリペイドカード（プリペイド媒体）、ＩＤａ，ＩＤｂ…ＩＤ番号（識別情報）、Ｅａ，Ｅｂ…優先利用エリア。
【図１】
0005038803.tif 000002
【図２】
0005038803.tif 000003
【図３】
0005038803.tif 000004
【図４】
0005038803.tif 000005